(57)【特許請求の範囲】
【請求項１】
導体上に縦添えされる複数のマイカテープの各々が、テープ長手方向両側端部の一方の側端部で導体上に接触し、他方の側端部で他のマイカテープ上に接触させて重ね合わせながら導体の周囲を包囲して耐火層を形成し、この耐火層の上に押さえ巻きを巻回して構成したことを特徴とする耐火ケーブル。
【請求項２】
上記導体の上にマイカテープを互いに重ね合せて縦添えして形成する耐火層は、２枚のマイカテープを用いて構成したものである請求項１に記載の耐火ケーブル。
【請求項３】
導体上に縦添えされる複数のマイカテープの各々が、テープ長手方向両側端部の一方の側端部で導体上に接触し、他方の側端部で他のマイカテープ上に接触させて重ね合わせながら導体の周囲を包囲すると共に、前記導体の周囲を包囲する複数のマイカテープ上に、複数のマイカテープの各々が、テープ長手方向両側端部の一方の側端部で１つのマイカテープ上に接触し、他方の側端部で他のマイカテープ上に接触させて重ね合わせながら包囲して耐火層を形成し、この耐火層の上に押さえ巻きを巻回して構成したことを特徴とする耐火ケーブル。
【請求項４】
上記複数のマイカテープのそれぞれの重ね合せは、各マイカテープの端部において行うものである請求項１、２又は３に記載の耐火ケーブル。
【請求項５】
上記押え巻きは、耐火層の最外層の上に巻回したものである請求項１、２、３又は４に記載の耐火ケーブル。
【請求項６】
上記押え巻きは、ガラスヤーン、紡織繊維製ヤーン、ガラステープ、紡織繊維製テープのいずれかである請求項１、２、３、４又は５に記載の耐火ケーブル。
【発明の詳細な説明】
【０００１】
【発明の属する技術分野】
本発明は、火災等によって高熱や火炎に晒されても長時間の使用に耐え得る合成樹脂製の耐火ケーブルに係り、特に、マイカテープの縦添えにより耐火層が形成された耐火ケーブルにおいて、縦添えされたマイカテープの押え巻きとして使用されている高価なガラスヤーンの本数を増加させなくとも所定の耐火特性を有する耐火ケーブルに関する。
【０００２】
【従来の技術】
一般に、多数の人が集合する場所においては、火災等が発生した場合、場内の人を安全に非常口に案内するために、非常口案内灯などの避難誘導灯など、避難が完了する程度の一定の時間点灯させておくことが要求されている。そこで耐火対象物等における消火設備、警報設備、避難設備の配線に用いられる耐火ケーブルに関しては、社団法人日本電線工業会が自主的に独自の耐火電線等に関する認定基準を設け、その性能、構造および材料等の品質の確保を図っている。
【０００３】
従来の耐火ケーブルは、図７に示す如き構成を有している。すなわち、耐火ケーブル１は、導体２の外周に、マイカテープ３を図８に示す如く一方の端部を他方の端部に重ね合せるようにして縦添えし、このマイカテープ３の上にガラスヤーン４を巻き付け、マイカテープ３を押さえ付けてある。マイカテープ３を縦添えするのは、マイカテープ３をラップ巻きするのに比して作業性に優れており、作業時にマイカテープに傷やクラックが生じ難いからである。
【０００４】
そして、ガラスヤーン４で押さえたマイカテープ３の上にさらに重ね位置を変えてマイカテープ５を縦添えし、このマイカテープ５の上にガラスヤーン６を巻き付け、マイカテープ５を押さえ付けてある。このマイカテープは、耐火特性に応じて（例えば、４〜８枚）巻き付けられている（図７では２枚）。このようにマイカテープを縦添えする毎にマイカテープの上にガラスヤーンを巻き付けるのは、縦添えしたマイカテープをそのままにして、この上にさらにマイカテープを縦添えしようとすると、前に縦添えしたマイカテープがバラける恐れがあり、縦添えしたマイカテープの上にガラスヤーンを巻き付けてマイカテープを押さえ付けないでさらにこの上にマイカテープを縦添えすると、下の層のマイカテープにシワが発生してしまうので、このマイカテープにシワが発生するのを防止するためである。
そして、このマイカテープ５の上にポリエチレンからなる絶縁体７を押出し被覆して絶縁線心を形成し、この絶縁線心の上にシース８を被覆して耐火ケーブル１が形成されている。
【０００５】
【発明が解決しようとする課題】
このような従来の耐火ケーブルにあっては、マイカテープを縦添えする毎に、マイカテープの上にガラスヤーンを巻き付けるため、作業効率が悪く、高価なガラスヤーンを用いているため材料コストが高くつくという問題がある。そこで、このマイカテープを縦添えする毎にマイカテープの上にガラスヤーンを巻き付けるのを止めると、作業効率が向上し、高価なガラスヤーンを用いるのが少なくなるので材料コストの削減を図ることができる。
しかしながら、従来の耐火ケーブルで単にマイカテープを縦添えする毎のガラスヤーンの巻き付けを止めると、マイカテープを縦添えした上にさらにマイカテープを縦添えすることが難しくなったり、マイカテープを縦添えした上にさらにマイカテープを縦添えした時点で下側のマイカテープにシワが発生してしまう。また、従来の耐火ケーブルの場合、マイカテープを縦添えする毎のガラスヤーンの巻き付けを止めなくても、縦添えするマイカテープの枚数が増えるほど内線が徐々に丸くなくなりシワの発生が多くなる。
【０００６】
このようなマイカテープ成形時及び成形後に発生するマイカテープのシワは、耐火性能を低下させる大きな要因となり、このようなシワの発生した状態で耐火ケーブルを火炎に晒すと、その部分からクラックが入り、このクラックからカーボンが侵入し、絶縁性能を低下させることになる。
【０００７】
本発明の目的は、マイカテープのシワの発生及び破損を防止すると共に作業性の向上を図り、コストを低減させることにある。
【０００８】
【課題を解決するための手段】
請求項１に記載の発明における耐火ケーブルは、導体上に縦添えされる複数のマイカテープの各々が、テープ長手方向両側端部の一方の側端部で導体上に接触し、他方の側端部で他のマイカテープ上に接触させて重ね合わせながら導体の周囲を包囲して耐火層を形成し、この耐火層の上に押さえ巻きを巻回して構成したものである。
このように構成することにより、請求項１に記載の発明によると、耐火層の上に巻回する押え巻きの数を減らすことができ、マイカテープのシワの発生及び破損を防止すると共に作業性の向上を図り、コストを低減させることができる。
【０００９】
請求項２に記載の発明における耐火ケーブルは、導体の上にマイカテープを互いに重ね合せて縦添えして形成する耐火層を、２枚のマイカテープを用いて構成したものである。
このように構成することにより、請求項２に記載の発明によると、耐火ケーブルの製造を容易にすることができ、少ないマイカテープを用いても、耐火層の上に巻回する押え巻きの数を減らすことができ、マイカテープのシワの発生及び破損を防止すると共に作業性の向上を図り、コストを低減させることができる。
【００１０】
請求項３に記載の発明における耐火ケーブルは、導体上に縦添えされる複数のマイカテープの各々が、テープ長手方向両側端部の一方の側端部で導体上に接触し、他方の側端部で他のマイカテープ上に接触させて重ね合わせながら導体の周囲を包囲すると共に、前記導体の周囲を包囲する複数のマイカテープ上に、複数のマイカテープの各々が、テープ長手方向両側端部の一方の側端部で１つのマイカテープ上に接触し、他方の側端部で他のマイカテープ上に接触させて重ね合わせながら包囲して耐火層を形成し、この耐火層の上に押さえ巻きを巻回して構成したものである。
このように構成することにより、請求項３に記載の発明によると、耐火層の上に巻回する押え巻きの数を減らすことができ、マイカテープのシワの発生及び破損を防止すると共に作業性の向上を図り、コストを低減させることができる。
【００１１】
請求項４に記載の発明における耐火ケーブルは、複数のマイカテープのそれぞれの重ね合せは、各マイカテープの端部において行うようにしたものである。
耐火ケーブルの構成である耐火層を形成するにあたっては、複数のマイカテープの重ね合せを大きく（５０％〜９０％）すると、耐火特性を十分に得られるが、導体が露出しないようであれば耐火特性に影響を与えることがないので複数のマイカテープの重ね合せを、各マイカテープの端部に限っても十分な耐火特性を得ることができる。
このように構成することにより、請求項４に記載の発明によると、マイカテープの使用量を抑え、コストを低減させることができる。
【００１２】
請求項５に記載の発明における耐火ケーブルは、押え巻きを、耐火層の最外層の上に巻回したものである。
このように構成することにより、請求項５に記載の発明によると、耐火層の上に巻回する押え巻きの数を減らすことができる。
【００１３】
請求項６に記載の発明における耐火ケーブルは、押え巻きを、ガラスヤーン、紡織繊維製ヤーン、ガラステープ、紡織繊維製テープのいずれかで構成したものである。
このように構成することにより、請求項６に記載の発明によると、耐火層の上に巻回する押え巻きの数を減らすことができるため、高価なガラスヤーン、ガラステープを用いても、コストを低減させることができる。また、紡織繊維製ヤーン、紡織繊維製テープを用いることで耐火性を必要とするもの、耐火性を必要としないものの使い分けが可能で、使用する材料の幅を持たせることができる。
【００１６】
【発明の実施の形態】
以下、本発明に係る耐火ケーブルの実施の形態について説明する。
【００１７】
図１には、本発明に係る耐火ケーブルの第１の実施の形態が示されている。  図において、１は耐火ケーブルで、銅又は銅合金で構成された導体２の表面に、耐火層１０が縦添えして形成されており、この耐火層１０の上には、耐火層１０を抑えるために、押え巻き１１が巻き付けられており、この耐火層１０の上に絶縁体７が被覆され、この絶縁体７の上にシース８が被覆されて構成されている。
導体２の表面に形成されている耐火層１０は、図２に示す如くマイカテープ１０Ａとマイカテープ１０Ｂとによって構成されており、この耐火層１０は、導体２の表面にマイカテープ１０Ａを縦添えし、マイカテープ１０Ａの一方の端部にマイカテープ１０Ｂの一方の端部をオーバーラップさせ、マイカテープ１０Ａの他方の端部をマイカテープ１０Ｂの他方の端部にオーバーラップさせるようにマイカテープ１０Ｂを縦添えして形成されている。
【００１８】
耐火層１０を抑えるために耐火層１０の上に巻き付けられる押え巻き１１は、ガラスヤーン、紡織繊維製ヤーン、ガラステープ、紡織繊維製テープのいずれかで構成することができる。この耐火層１０が１層の場合は、耐火性能が必要で、ガラスヤーン、シリカヤーン、アルミナヤーン等を用いることができる。
【００１９】
図３には、本発明に係る耐火ケーブルの第２の実施の形態が示されている。本実施の形態が図１に図示の第１の実施の形態と異なる点は、耐火層１０のマイカテープ１０Ａの端部とマイカテープ１０Ｂの端部の重ね代が異なっている点である。
すなわち、銅又は銅合金で構成された導体２の表面に、耐火層１２が縦添え被覆されており、この耐火層１２の上に押え巻き１１が巻き付けられており、この耐火層１２の上に絶縁体７が被覆され、この絶縁体７の上にシース８を被覆して耐火ケーブル１が構成されている。
【００２０】
導体２の表面に縦添えして形成されている耐火層１２は、マイカテープ１２Ａとマイカテープ１２Ｂとによって構成されており、マイカテープ１２Ａとマイカテープ１２Ｂは、略導体２の表面の全体を覆うことができる程度の幅を備えており、マイカテープ１２Ａの一方の端部がマイカテープ１２Ｂの一端にオーバーラップするように重ねられており、マイカテープ１２Ｂの他方の端部がマイカテープ１２Ａの他方の端部にオーバーラップするように重ねられて構成されている。このマイカテープ１２Ａとマイカテープ１２Ｂは、導体２の表面の全体を覆うことができる程度の幅を備えているため、マイカテープ１２Ａとマイカテープ１２Ｂの重ね代が大きく採れ、耐火層１２は、２層に形成されているようになっている。
【００２１】
図４には、本発明に係る耐火ケーブルの第３の実施の形態が示されている。本実施の形態が図１に図示の第１の実施の形態と異なる点は、図１に図示の第１の実施の形態が２枚のマイカテープ１０Ａ、マイカテープ１０Ｂによって耐火層１０が構成されているのに対し、本実施例が複数枚のマイカテープ（図４では、４枚）を用いて耐火層を構成している点である。
すなわち、銅又は銅合金で構成された導体２の表面に、耐火層１３が縦添え被覆されており、この耐火層１３の上に押え巻き１１が巻き付けられており、この耐火層１３の上に絶縁体７が被覆され、この絶縁体７の上にシース８を被覆して耐火ケーブル１が構成されている。
【００２２】
導体２の表面に縦添えして形成されている耐火層１３は、マイカテープ１３Ａとマイカテープ１３Ｂとマイカテープ１３Ｃとマイカテープ１３Ｄとによって構成されている。このマイカテープ１３Ａの一端は、マイカテープ１３Ｂの一端にオーバーラップするように形成されており、マイカテープ１３Ｂの他端は、マイカテープ１３Ｃの一端にオーバーラップするように形成されており、マイカテープ１３Ｃの他端は、マイカテープ１３Ｄの一端にオーバーラップするように形成されており、マイカテープ１３Ｄの他端は、マイカテープ１３Ａの他端にオーバーラップするように形成されている。
このように構成することによって幅の狭いマイカテープを用いても十分な耐火性能を得ることができる。
【００２３】
図５には、本発明に係る耐火ケーブルの第４の実施の形態が示されている。  図において、１は耐火ケーブルで、銅又は銅合金で構成された導体２の表面に、第１の耐火層１４を縦添えして形成し、この第１の耐火層１４の上に第２の耐火層１５を形成し、この第１の耐火層１４と第２の耐火層１５によって耐火層１６が形成されている。この第２の耐火層１５の上には、耐火層１６を抑えるための押え巻き１７が巻き付けられており、この耐火層１６の上に絶縁体７が被覆され、この絶縁体７の上にシース８が被覆されて耐火ケーブル１が構成されている。
【００２４】
導体２の表面に形成されている耐火層１４は、図６に示す如くマイカテープ１４Ａとマイカテープ１４Ｂとによって構成されており、この耐火層１４は、導体２の表面にマイカテープ１４Ａを縦添えし、マイカテープ１４Ａの一方の端部にマイカテープ１４Ｂの一方の端部をオーバーラップさせ、マイカテープ１４Ａの他方の端部をマイカテープ１４Ｂの他方の端部にオーバーラップさせるようにマイカテープ１４Ｂを縦添えして形成されている。
【００２５】
この耐火層１４の上に縦添えされる耐火層１５は、図６に示す如くマイカテープ１５Ａとマイカテープ１５Ｂとによって構成されており、この耐火層１５のマイカテープ１５Ａの端部とマイカテープ１５Ｂの端部は、耐火層１４のマイカテープ１４Ａの端部、マイカテープ１４Ｂの端部と位相がずれた位置に配置されて縦添えしてある。そして、この耐火層１５は、耐火層１４の上にマイカテープ１５Ａを縦添えし、マイカテープ１５Ａの一方の端部にマイカテープ１５Ｂの一方の端部をオーバーラップさせ、マイカテープ１５Ａの他方の端部をマイカテープ１５Ｂの他方の端部にオーバーラップさせるようにマイカテープ１５Ｂを縦添えして形成されている。
【００２６】
この耐火層１６の上に巻き付けられている押え巻き１７は、縦添えされた線心に絶縁被覆するためマイカテープを押えて広がらないようにするために用いられる場合と、外部から熱がかかった際（例えば、火災時）において縦添えされたマイカテープ１５Ａ、１５Ｂが開かないようにする場合とがある。単に縦添えされた線心に絶縁被覆するためマイカテープを押えて広がらないようにするために使用する押え巻き１７の場合は、耐火性能が必要でなく、外部から熱がかかった際（例えば、火災時）において縦添えされたマイカテープが開かないようにする場合は、耐火性能を必要とする。このような場合、耐火繊維、非耐火繊維を混ぜて使用することができ、耐火繊維としてはガラスヤーン、シリカヤーン、アルミナヤーン等を、非耐火繊維としてはナイロンヤーン等一定強度の有る繊維を用いることができる。
【００２７】
このような使い分けを行う場合、押え巻き１７としては、ガラスヤーン、紡織繊維製ヤーン、ガラステープ、紡織繊維製テープのいずれかで構成することができる。この押え巻き１７は、複数の耐火層（図５では、耐火層１４、１５）の最外層（図５では、耐火層１５）の上にのみ設けるだけで十分である。
【００２８】
したがって、本実施の形態によれば、耐火層の最外層以外に押え巻きが巻き付けられていないため、最外の耐火層形成時に耐火層にシワや損傷などが生じることなく、マイカテープの持つ耐火特性を十分発揮することができる。したがって、高温時においても安定した耐火特性が得られ、さらに、耐火層製造時におけるマイカテープ及び、押え巻きの巻き付け作業も容易になるため、作業効率を向上することができる。
【００２９】
【発明の効果】
請求項１に記載の発明によれば、耐火層の上に巻回する押え巻きの数を減らすことができ、マイカテープのシワの発生及び破損を防止すると共に作業性の向上を図り、コストを低減させることができる。
【００３０】
請求項２に記載の発明によれば、耐火ケーブルの製造を容易にすることができ、少ないマイカテープを用いても、耐火層の上に巻回する押え巻きの数を減らすことができ、マイカテープのシワの発生及び破損を防止すると共に作業性の向上を図り、コストを低減させることができる。
【００３１】
請求項３に記載の発明によれば、耐火層の上に巻回する押え巻きの数を減らすことができ、マイカテープのシワの発生及び破損を防止すると共に作業性の向上を図り、コストを低減させることができる。
【００３２】
請求項４に記載の発明によれば、マイカテープの使用量を抑え、コストを低減させることができる。
【００３３】
請求項５に記載の発明によれば、耐火層の上に巻回する押え巻きの数を減らすことができる。
【００３４】
請求項６に記載の発明によれば、耐火層の上に巻回する押え巻きの数を減らすことができるため、高価なガラスヤーン、ガラステープを用いても、コストを低減させることができる。また、紡織繊維製ヤーン、紡織繊維製テープを用いることで耐火性を必要とするもの、耐火性を必要としないものの使い分けが可能で、使用する材料の幅を持たせることができる。
【図面の簡単な説明】
【図１】本発明に係る耐火ケーブルの第１の実施の形態を示す斜視図である。
【図２】図１に示す耐火ケーブルの断面図である。
【図３】本発明に係る耐火ケーブルの第２の実施の形態を示す断面図である。
【図４】本発明に係る耐火ケーブルの第３の実施の形態を示す断面図である。
【図５】本発明に係る耐火ケーブルの第４の実施の形態を示す斜視図である。
【図６】図５に示す耐火ケーブルの断面図である。
【図７】従来の耐火ケーブルを示す断面図である。
【図８】図７に図示の従来の耐火ケーブルの断面図である。
【符号の説明】
１………………………………………………耐火ケーブル
２………………………………………………導体
７………………………………………………絶縁体
８………………………………………………シース
１０……………………………………………耐火層
１０Ａ，１０Ｂ………………………………マイカテープ
１１……………………………………………押え巻き
１２……………………………………………耐火層
１２Ａ，１２Ｂ………………………………マイカテープ
１３……………………………………………耐火層
１３Ａ，１３Ｂ，１３Ｃ，１３Ｄ…………マイカテープ
１４，１５，１６……………………………耐火層
１４Ａ，１４Ｂ，１５Ａ，１５Ｂ…………マイカテープ
１７……………………………………………押え巻き
【図１】
0003571970.tif 000002
【図２】
0003571970.tif 000003
【図３】
0003571970.tif 000004
【図４】
0003571970.tif 000005
【図５】
0003571970.tif 000006
【図６】
0003571970.tif 000007
【図７】
0003571970.tif 000008
【図８】
0003571970.tif 000009